(57)【要約】【課題】装置の低背化と記録機能の維持に配慮されつつインクチューブが設けられた、記録ユニットとスキャナーユニットとを一体に備える記録装置を提供する。【解決手段】プリンター１は、記録ユニット２と、その上部を開閉可能なスキャナーユニット３と、を備える。記録ユニット２は、インクタンク４８から送られるインクをヘッドユニット２９へと導く、可撓性を有するインクチューブ５２と、記録ユニット２の上部に設けられた押し下げ可能なスイッチの状態に基づき、スイッチの押下状態を検出した場合にヘッドユニットを制御して媒体に記録を行い、スイッチの非押下状態を検出した場合に記録を実行しない制御部と、を備える。記録ユニット２とスキャナーユニット３との間に、少なくもインクチューブ５２内のインク流路を遮断しない大きさの、インクチューブ５２を通す隙間５７が形成された状態で、スイッチが押下状態となる。【選択図】図１
2014034202.tif 000002
【特許請求の範囲】
【請求項１】
媒体に対してインクを吐出する記録ヘッドを備えるヘッドユニットを、前記記録ヘッドの走査方向に移動可能に有する記録ユニットと、
前記記録ユニットの上部に設けられ、前記記録ユニットの上部を開閉可能な開閉体と、を備え、
前記記録ユニットは、インクを収容するインク収容部から送られるインクを前記ヘッドユニットへと導く、可撓性を有するインクチューブと、
前記記録ユニットの上部に設けられた押し下げ可能なスイッチの状態に基づき、前記スイッチの押し下げ状態を検出した場合に前記ヘッドユニットを制御して媒体に記録を行い、前記スイッチの非押し下げ状態を検出した場合に記録を実行しない制御部と、
媒体を収容する媒体収容部から媒体を送り出す給送手段と、
前記記録ユニットから突出する突出位置と前記記録ユニット内に収容される収納位置との間を変位可能に設けられた、排出される媒体を受ける媒体受けトレイと、を備え、
前記媒体収容部は、前記媒体受けトレイの下方に、前記媒体受けトレイから独立して前記記録ユニットに対し着脱可能な媒体収容トレイを備え、
前記媒体受けトレイは、媒体排出方向上流側に前記給送手段を避ける逃げ部が形成され、前記収納位置において前記逃げ部の内側に前記給送手段が位置し、
前記開閉体の姿勢に応じて、前記記録ユニットと前記開閉体との間に、少なくも前記インクチューブ内のインク流路を遮断しない大きさの、前記インクチューブを通す隙間が形成された状態で、前記スイッチが押し下げ状態となる、
ことを特徴とする記録装置。
【請求項２】
請求項１に記載の記録装置において、前記逃げ部は、前記給送手段を囲むように切り欠き状に形成されている、
ことを特徴とする記録装置。
【請求項３】
請求項１または２に記載の記録装置において、前記媒体収容部は前記媒体収容トレイとして下段側トレイと、当該下段側トレイの上部に当該下段側トレイから独立して設けられる上段側トレイとを備え、
前記給送手段は、前記上段側トレイ及び前記下段側トレイのいずれか一方が前記記録ユニットから取り外された状態において、他方にアクセス可能である、
ことを特徴とする記録装置。
【請求項４】
請求項３に記載の記録装置において、前記給送手段は一の給送ローラーを備え、
当該一の給送ローラーが、前記上段側トレイ及び前記下段側トレイの双方にアクセス可能である、
ことを特徴とする記録装置。
【請求項５】
請求項１から４のいずれか１項に記載の記録装置において、前記開閉体がスキャナーユニットである、
ことを特徴とする記録装置。
【請求項６】
請求項１から５のいずれか１項に記載の記録装置において、前記隙間は、前記記録ユニットの上面に設けられた隙間形成部材により形成される、
ことを特徴とする記録装置。
【請求項７】
請求項１から６のいずれか１項に記載の記録装置において、前記記録ユニットは、前記ヘッドユニットの移動領域における少なくとも一部の上方を露呈させる開口部を有するハウジングを備え、
前記インクチューブは、前記ハウジングにおいて前記開口部周囲の上面に固定されている、
ことを特徴とする記録装置。
【請求項８】
請求項５から７のいずれか１項に記載の記録装置において、前記スキャナーユニットは、前記ヘッドユニットの移動方向に沿って走査する読み取りユニットを前記走査方向に案内するガイド部が配設された、前記スキャナーユニットの底面から突出する突状部を備え、
前記記録ユニットの奥行き方向において前記インクチューブは、前記突状部と交差することなく前記ヘッドユニットと前記インク収容部の双方に接続されている、
ことを特徴とする記録装置。
【請求項９】
請求項１から８のいずれか１項に記載の記録装置において、前記スイッチは、前記記録ユニットの上面に設けられた穴の内側に設けられ、
前記開閉体の下面には、前記穴に入り込み、前記スイッチを押し下げるとともに当該押し下げた状態で前記隙間を形成する突起が設けられている、
ことを特徴とする記録装置。
【請求項１０】
請求項１から９のいずれか１項に記載の記録装置において、前記インク収容部が、前記記録ユニットの側面に設けられている、
ことを特徴とする記録装置。
【請求項１１】
媒体に対してインクを吐出する記録ヘッドを備えるヘッドユニットを、前記記録ヘッドの走査方向に移動可能に有する記録ユニットと、
前記記録ユニットの上部に設けられ、前記記録ユニットの上部を開閉可能なスキャナーユニットと、を備え、
前記記録ユニットは、インクを収容するインク収容部から送られるインクを前記ヘッドユニットへと導く、可撓性を有するインクチューブと、
前記記録ユニットの上部に設けられた押し下げ可能なスイッチの状態に基づき、前記スイッチの押し下げ状態を検出した場合に前記ヘッドユニットを制御して媒体に記録を行い、前記スイッチの非押し下げ状態を検出した場合に記録を実行しない制御部と、を備えるとともに、
前記記録ユニットと前記スキャナーユニットとの間に、少なくも前記インクチューブ内のインク流路を遮断しない大きさの、前記インクチューブを通す隙間が形成された状態で、前記スイッチが押し下げ状態となる構成を備える、
ことを特徴とする記録装置。
【発明の詳細な説明】
【技術分野】
【０００１】
本発明は、記録ユニットと、該記録ユニットの上部に設けられ、当該上部を開閉可能な開閉体とを備える記録装置に関する。
【背景技術】
【０００２】
近年、記録ユニットとスキャナーユニットとを一体に備えた、複合機と呼ばれる記録装置、その中でも特にインクジェット複合機が広く出回っている（特許文献１）。またインクジェット複合機においては、インクを吐出する記録ヘッドを備えるとともに所定の移動方向に移動可能なヘッドユニット（キャリッジと呼ばれる場合もある）を備えた、所謂シリアル式のインクジェット記録装置が主流である。
【０００３】
ここで、ヘッドユニットには、インクを収容するインク収容部（以下では適宜「インクカートリッジ」と言う）を搭載するものと、インクカートリッジを搭載しないものとがある。
【０００４】
ヘッドユニットにインクカートリッジを搭載するものは、ヘッドユニットはインクカートリッジを搭載した状態で所定方向に往復動し、ヘッドユニット内部で、インクカートリッジから記録ヘッドへとインクが供給される。インクカートリッジを搭載しないものは、インクカートリッジがヘッドユニットから独立して設けられ、インクカートリッジとヘッドユニット（記録ヘッド）とは、インク供給用のインクチューブによって連通される（例えば、特許文献２）。
【先行技術文献】
【特許文献】
【０００５】
【特許文献１】特開２０１２−１０７３９３号公報
【特許文献２】特開２０１０−１３１８９３号公報
【発明の概要】
【発明が解決しようとする課題】
【０００６】
近年、インクジェット複合機にはより一層の小型化が求められており、特に低背化（装置の高さ方向寸法の縮小化）の要請が著しい。しかしながら上述の、ヘッドユニットにインクカートリッジを搭載しないタイプでは、インクチューブを装置の内側から外側に出す必要性から装置の高さ方向寸法が増大し易い。しかも、インクチューブを装置の内側から外側に出す際には、記録機能を損なわない様に配慮する必要性がある。
【０００７】
そこで本発明はこの様な状況に鑑みなされたものであり、その目的は、装置の低背化と記録機能の維持に配慮されつつインクチューブが設けられた、記録ユニットと開閉体とを一体に備える記録装置を提供することにある。
【課題を解決するための手段】
【０００８】
上記課題を解決する為の、本発明の第１の態様に係る記録装置は、媒体に対してインクを吐出する記録ヘッドを備えるヘッドユニットを、前記記録ヘッドの走査方向に移動可能に有する記録ユニットと、前記記録ユニットの上部に設けられ、前記記録ユニットの上部を開閉可能な開閉体と、を備え、前記記録ユニットは、インクを収容するインク収容部から送られるインクを前記ヘッドユニットへと導く、可撓性を有するインクチューブと、前記記録ユニットの上部に設けられた押し下げ可能なスイッチの状態に基づき、前記スイッチの押し下げ状態を検出した場合に前記ヘッドユニットを制御して媒体に記録を行い、前記スイッチの非押し下げ状態を検出した場合に記録を実行しない制御部と、媒体を収容する媒体収容部から媒体を送り出す給送手段と、前記記録ユニットから突出する突出位置と前記記録ユニット内に収容される収納位置との間を変位可能に設けられた、排出される媒体を受ける媒体受けトレイと、を備え、前記媒体収容部は、前記媒体受けトレイの下方に、前記媒体受けトレイから独立して前記記録ユニットに対し着脱可能な媒体収容トレイを備え、前記媒体受けトレイは、媒体排出方向上流側に前記給送手段を避ける逃げ部が形成され、前記収納位置において前記逃げ部の内側に前記給送手段が位置し、前記開閉体の姿勢に応じて、前記記録ユニットと前記開閉体との間に、少なくも前記インクチューブ内のインク流路を遮断しない大きさの、前記インクチューブを通す隙間が形成された状態で、前記スイッチが押し下げ状態となることを特徴とする。
【０００９】
本態様によれば、記録ユニットと、記録ユニットの上部を開閉可能な開閉体と、を備えた記録装置において、記録ユニットと開閉体との間に少なくともインクチューブ内のインク流路を遮断しない大きさの隙間が形成された状態で記録が実行可能であり、即ち必要最小限の隙間が形成された状態で記録が実行可能であることから、インクチューブを記録ユニットと開閉体との間から通すに際し装置の低背化に配慮しつつ記録機能を維持することができる。
【００１０】
また、排出される媒体を受ける媒体受けトレイには前記給送手段を避ける逃げ部が形成されているので、装置の高さ方向において前記給送手段と媒体受けトレイとを重畳させる必要がなく、高さ方向で両者をオーバーラップさせることができ、これによってより一層装置の高さ方向寸法を削減することができる。
【００１１】
本発明の第２の態様は、第１の態様において、前記逃げ部は、前記給送手段を囲むように切り欠き状に形成されていることを特徴とする。
【００１２】
本発明の第３の態様は、第１のまたは第２の態様において、前記媒体収容部は前記媒体収容トレイとして下段側トレイと、当該下段側トレイの上部に当該下段側トレイから独立して設けられる上段側トレイとを備え、前記給送手段は、前記上段側トレイ及び前記下段側トレイのいずれか一方が前記記録ユニットから取り外された状態において、他方にアクセス可能であることを特徴とする。
【００１３】
本態様によれば、下段側トレイと上段側トレイとを備えた構成において、これらのいずれか一方が取り外された状態においても、他方にアクセス可能であるので、媒体収容トレイの装着状態に拘わらず媒体を給送することができる。
【００１４】
本発明の第４の態様は、第３の態様において、前記給送手段は一の給送ローラーを備え、当該一の給送ローラーが、前記上段側トレイ及び前記下段側トレイの双方にアクセス可能であることを特徴とする。  
本態様によれば、一の給送ローラーで上段側トレイ及び下段側トレイの双方にアクセスできるので、給送手段を構造簡単にして且つ低コストに構成できる。
【００１５】
本発明の第５の態様は、第１から第４の態様のいずれかにおいて、前記開閉体がスキャナーユニットであることを特徴とする。
【００１６】
本発明の第６の態様は、第１から第５の態様のいずれかにおいて、前記隙間は、前記記録ユニットの上面に設けられた隙間形成部材により形成されることを特徴とする。  
本態様によれば、前記隙間は、前記記録ユニットの上面に設けられた隙間形成部材により形成されるので、前記隙間を確実に形成できる。
【００１７】
本発明の第７の態様は、第１から第６の態様のいずれかにおいて、前記記録ユニットは、前記ヘッドユニットの移動領域における少なくとも一部の上方を露呈させる開口部を有するハウジングを備え、前記インクチューブは、前記ハウジングにおいて前記開口部周囲の上面に固定されていることを特徴とする。
【００１８】
本態様によれば、前記インクチューブが、前記ハウジングにおいて前記開口部周囲の上面に固定されるので、前記ハウジングをインクチューブ固定材として利用することで省スペース且つ低コストにインクチューブを固定することができる。
【００１９】
本発明の第８の態様は、第５から第７の態様のいずれかにおいて、前記スキャナーユニットは、前記ヘッドユニットの移動方向に沿って走査する読み取りユニットを前記走査方向に案内するガイド部が配設された、前記スキャナーユニットの底面から突出する突状部を備え、前記記録ユニットの奥行き方向において前記インクチューブは、前記突状部と交差することなく前記ヘッドユニットと前記インク収容部の双方に接続されていることを特徴とする。
【００２０】
本態様によれば、前記スキャナーユニットはその構造上底面から突出する突状部を有しており、そしてインクチューブは、突状部と交差することなくヘッドユニットとインク収容部の双方に接続されるので、装置の高さ方向寸法の増加を防止することができる。
【００２１】
本発明の第９の態様は、第１から第８の態様のいずれかにおいて、前記スイッチは、前記記録ユニットの上面に設けられた穴の内側に設けられ、前記開閉体の下面には、前記穴に入り込み、前記スイッチを押し下げるとともに当該押し下げた状態で前記隙間を形成する突起が設けられていることを特徴とする。
【００２２】
本態様によれば、開閉体を開いた状態では前記突起が前記スイッチから離れ、前記スイッチが非押下状態となる。これにより記録装置の制御部は、開閉体が開いた状態で記録動作を行わない様制御することができる。
【００２３】
本発明の第１０の態様は、第１から第９の態様のいずれかにおいて、前記インク収容部が、前記記録ユニットの側面に設けられていることを特徴とする。
【００２４】
本発明の第１１の態様に係る記録装置は、媒体に対してインクを吐出する記録ヘッドを備えるヘッドユニットを、前記記録ヘッドの走査方向に移動可能に有する記録ユニットと、前記記録ユニットの上部に設けられ、前記記録ユニットの上部を開閉可能なスキャナーユニットと、を備え、前記記録ユニットは、インクを収容するインク収容部から送られるインクを前記ヘッドユニットへと導く、可撓性を有するインクチューブと、前記記録ユニットの上部に設けられた押し下げ可能なスイッチの状態に基づき、前記スイッチの押し下げ状態を検出した場合に前記ヘッドユニットを制御して媒体に記録を行い、前記スイッチの非押し下げ状態を検出した場合に記録を実行しない制御部と、を備えるとともに、前記記録ユニットと前記スキャナーユニットとの間に、少なくも前記インクチューブ内のインク流路を遮断しない大きさの、前記インクチューブを通す隙間が形成された状態で、前記スイッチが押し下げ状態となる構成を備えることを特徴とする。
【００２５】
本態様によれば、記録ユニットと、記録ユニットの上部を開閉可能なスキャナーユニットと、を備えた記録装置において、記録ユニットとスキャナーユニットとの間に少なくともインクチューブ内のインク流路を遮断しない大きさの隙間が形成された状態で記録が実行可能であり、即ち必要最小限の隙間が形成された状態で記録が実行可能であることから、インクチューブを記録ユニットとスキャナーユニットとの間から通すに際し装置の低背化に配慮しつつ記録機能を維持することができる。
【図面の簡単な説明】
【００２６】
【図１】本発明に係るプリンターの外観斜視図（スキャナーユニット閉状態）。
【図２】本発明に係るプリンターの外観斜視図（スキャナーユニット開状態）。
【図３】スキャナーユニット（原稿台）の平面図。
【図４】本発明に係るプリンターの用紙搬送経路を示す側断面図。
【図５】スキャナーユニット底面の部分拡大斜視図。
【図６】（Ａ）、（Ｂ）は記録ユニット上部に設けられたスイッチの正面図。
【図７】（Ａ）、（Ｂ）は記録ユニット上部に設けられたスイッチの正面図。
【図８】本発明の第２実施形態に係るプリンターの外観斜視図（スキャナーユニット開状態）。
【図９】給送手段と排紙受けトレイとの配置関係を示す斜視図。
【図１０】排紙受けトレイの斜視図。
【図１１】（Ａ）、（Ｂ）は排紙受けトレイに形成された逃げ部の形状を模式的に示す図。
【発明を実施するための形態】
【００２７】
以下、本発明の一実施形態を図面に基づいて説明するが、本発明は、以下説明する実施形態に限定されることなく、特許請求の範囲に記載した発明の範囲内で種々の変形が可能であり、それらも本発明の範囲内に含まれるものであることを前提として、以下本発明の一実施形態を説明するものとする。
【００２８】
図１、図２は本発明に係る「記録装置」の一実施形態であるインクジェットプリンター（以下「プリンター」と言う）１の外観斜視図であり、図１はスキャナーユニット３を閉じた状態を、図２はスキャナーユニット３を開いた状態を示している。図３はスキャナーユニット３（原稿台３９）の平面図、図４はプリンター１の用紙搬送経路を示す側断面図である。
【００２９】
更に、図５はスキャナーユニット３の底面の部分拡大斜視図、図６（Ａ）、（Ｂ）及び図７（Ａ）、（Ｂ）は記録ユニット上部に設けられたスイッチ６０の正面図、図８は本発明の第２実施形態に係るプリンター１’の外観斜視図、図９は給送手段９と排紙受けトレイ８との配置関係を示す斜視図、図１０は排紙受けトレイ８の斜視図である。更に図１１（Ａ）、（Ｂ）は排紙受けトレイ８に形成された逃げ部の形状を模式的に示す図である。
【００３０】
以下では先ず、プリンター１の全体構成について概説する。プリンター１は、媒体の一例としての記録用紙にインクジェット記録を行う記録ユニット２の上部に「開閉体」としてのスキャナーユニット３を回動可能に備えており、即ちインクジェット記録機能に加えてスキャナー機能を備えるインクジェット複合機として構成されている。
【００３１】
スキャナーユニット３は、記録ユニット２に対して回動軸４０（図４）を介して回動可能に連結されており、回動することにより、閉じた状態（図１）と開いた状態（図２）とをとり得る。
【００３２】
スキャナーユニット３において上部のカバー４は開閉可能なカバーであり、当該カバー４を開放することにより、スキャナーユニット３の原稿台３９（図３、図４）が表れる様になっている。尚、以下においてスキャナーユニット３の閉じた状態とは、記録ユニット２とスキャナーユニット３との間に間隔５７（後に詳述）が形成されており、スキャナーユニット３がそれ以上閉じない状態となっている際の、当該スキャナーユニット３の状態を言うものとする。
【００３３】
装置前面において符号５は、電源ボタンや各種印刷設定・記録実行を行う操作ボタン、印刷設定内容や印刷画像のプレビュー表示などを行う表示部、等を備えて成る操作パネルである。この操作パネル５はチルト可能に構成されており、ユーザーが操作し易い角度に調整できる様になっている。尚、操作パネル５の開き角は、図示しない角度保持手段により保持され、またボタン操作の為に閉方向の外力を受けた場合であってもその角度が保持される様になっている。
【００３４】
装置前面において符号３６は下段側トレイ３５に設けられた開閉可能なカバーであり、図１、図２はカバー３６が閉じた状態を、図４はカバー３６が開いた状態を、それぞれ示している。そしてこのカバー３６を開くことにより、下段側トレイ３５、上段側トレイ３７、排紙受けトレイ８、のこれらが露呈可能となり、下段側トレイ３５や上段側トレイ３７の着脱作業が実行可能となる。
【００３５】
排紙受けトレイ８は、図示しないモーターによって記録ユニット２に収納された収納位置（図１や図２の状態）と、記録ユニット２の前方側に突出した突出位置（図４）と、の間をスライド変位可能に設けられており、記録ユニット２の前方側に突出した突出位置をとることで、記録が行われて排出される記録用紙を受けることができる。尚、本実施形態に係る排紙受けトレイ８はモーターの動力を受けて変位動作するが（自動オープンタイプ）、ユーザー操作により変位動作する構成であっても良い（手動オープンタイプ）。
【００３６】
下段側トレイ３５と、その上部に設けられる上段側トレイ３７は、複数枚の記録用紙を収容可能であり、それぞれ記録ユニット２に対して着脱可能となっている。下段側トレイ３５には、上述したカバー３６が回動自在に設けられている。尚、下段側トレイ３５と上段側トレイ３７は、各々が独立して記録ユニット２に対し着脱可能であり、また排紙受けトレイ８からも独立して記録ユニット２に対して着脱可能である。
【００３７】
続いて、プリンター１の用紙搬送経路について主として図４を参照しつつ説明する。本実施形態に係るプリンター１は、装置底部に媒体収容部を構成する下段側トレイ３５及び上段側トレイ３７を備え、当該下段側トレイ３５或いは上段側トレイ３７から記録用紙を１枚ずつ給送する。
【００３８】
上段側トレイ３７は、給送可能位置（図４）と退避位置(不図示）との間をスライド変位可能に設けられており、そして図示しないモーターの動力を受けて、給送可能位置と退避位置との間を変位する様に構成されている。
【００３９】
尚、図４においては、下段側トレイ３５に収容される用紙を符号Ｐ１で、上段側トレイ３７に収容される用紙を符号Ｐ２で、それぞれ示している（以下、特に区別する必要がない場合は「用紙Ｐ」と言う）。
【００４０】
図示しないモーターによって回転駆動される給送ローラー（ピックアップローラーとも呼ばれる）１０は、回動軸１２を中心に揺動する揺動部材１１に設けられており、上段側トレイ３７が最も装置前方側（図４において右側：上段側トレイ３７の引き抜き方向側）にスライドした状態、即ち上段側トレイ３７が退避位置にあるときは(不図示）、下段側トレイ３５に収容された用紙Ｐ１の最上位のものと接して回転することにより、当該最上位の用紙Ｐ１を下段側トレイ３５から送り出す。
【００４１】
また上段側トレイ３７が最も装置後方側（図４において左側：上段側トレイ３７の装着方向側であり、用紙送り出し方向側でもある）にスライドした突き当たり位置にあるとき、即ち上段側トレイ３７の給送可能位置では、給送ローラー１０が上段側トレイ３７に収容された用紙Ｐ２の最上位のものと接して回転することにより、当該最上位の用紙Ｐ２を上段側トレイ３７から送り出す。尚、図４の破線は上段側トレイ３７から送り出された用紙Ｐ２の通過軌跡を示している。
【００４２】
尚、本実施形態では一の給送ローラー１０により、下段側トレイ３５と上段側トレイ３７の双方にアクセス可能である。また給送ローラー１０は、下段側トレイ３５と上段側トレイ３７のいずれか一方が記録ユニット２から取り外された状態であっても、他方にアクセスでき、当該他方のトレイから用紙の給送が可能である。
【００４３】
下段側トレイ３５及び上段側トレイ３７の先端と対向する位置には、分離斜面１３が設けられており、下段側トレイ３５或いは上段側トレイ３７から送り出される用紙Ｐは、その先端が分離斜面１３に接しながら下流側に進むことで、給送されるべき最上位の用紙Ｐと次位以降の用紙Ｐとの分離が行われる。
【００４４】
分離斜面１３の先には、図示しないモーターによって回転駆動される反転ローラー１７が設けられており、この反転ローラー１７によって用紙Ｐは湾曲反転させられ、装置前方側へと向かう。尚、符号１８、１９、２０、２１は従動回転可能な従動ローラーであり、少なくとも各トレイから送り出された用紙Ｐは、従動ローラー１９と反転ローラー１７とによってニップされ、また従動ローラー２０と反転ローラー１７とによってニップされて、下流側へと送られる。
【００４５】
反転ローラー１７の先には、図示しないモーターによって回転駆動される搬送駆動ローラー２４と、該搬送駆動ローラー２４に接して従動回転する搬送従動ローラー２５とが設けられており、これらローラーによって用紙Ｐが記録ヘッド３０の下へと送られる。
【００４６】
続いて記録を行う記録部を構成する、インクを吐出する記録ヘッド３０は、ヘッドユニット２９の底部に設けられている。当該ヘッドユニット２９は、図示しないモーターによって記録ヘッド３０の走査方向（図４の紙面表裏方向）に往復動する様に駆動される。
【００４７】
記録ヘッド３０と対向する位置には支持部材２８が設けられ、当該支持部材２８によって、用紙Ｐと記録ヘッド３０との間の間隔が規定される。そして支持部材２８の下流側には、図示しないモーターによって回転駆動される排出駆動ローラー３１と、当該排出駆動ローラー３１に接して従動回転する排出従動ローラー３２とを備えた排出手段が設けられている。記録ヘッド３０によって記録の行われた用紙Ｐは、これらローラーにより、上述した排紙受けトレイ８へ向けて排出される。
【００４８】
続いて、スキャナーユニット３の構成について説明する。スキャナーユニット３は、回動軸４０（図４）を介して記録ユニット２に回動可能に連結されており、回動することにより記録ユニット２の上部を開閉する。スキャナーユニット３が開いた状態では、記録ユニット２の内部にアクセス可能となり、例えば紙ジャム処理などを行える様になっている。
【００４９】
スキャナーユニット３は、記録ヘッド３０の走査方向（図３において左右方向、図４において紙面表裏方向）と同方向に沿って走査する読み取りユニット４３が設けられている。読み取りユニット４３は、ＣＩＳ（Contact Image Sensor）或いはＣＣＤ（Charge Coupled Device）などのイメージセンサーを搭載して成る。
【００５０】
読み取りユニット４３は、装置奥行き方向（図３において上下方向、図４において左右方向）に長い形状を成し、不図示の駆動源から動力を得て、上記走査方向に延設されたガイド部としてのガイドレール４２にガイドされながら、上記走査方向に移動する。尚、読み取りユニット４３において符号４４は、ガイドレール４２と摺接する被ガイド部である。また、符号４６はスキャナーユニット３の内側底部と接して従動回転する従動ローラーである。原稿台３９に対する読み取りユニット４３の平行（姿勢）は、被ガイド部４４と従動ローラー４６とによって保たれる。
【００５１】
スキャナーユニット３の底面４５には、当該底面４５から記録ユニット２の側へ突出する様に、読み取りユニット４３の走査方向に延設された突状部４１が設けられている。突状部４１は、ガイドレール４２を配設する為の突状部である。
【００５２】
図４に示す様に、本実施形態に係るプリンター１はユニット奥行き方向において、ユニット手前側（図４において右側）から奥方（図４において左側）に向かってヘッドユニット２９、突状部４１、スキャナーユニット３の回動軸４０、の順に配置されており、ユニット奥行き方向において突状部４１は、スキャナーユニット３の中央位置より回動軸４０の側に配置されている。
【００５３】
即ち、スキャナーユニット３の突状部４１とヘッドユニット２９とが、ユニット奥行き方向において位置をずらして配置されるので、突状部４１とヘッドユニット２９とを重畳して配置する必要がない。このため、ヘッドユニット２９と突状部４１とを、高さ方向でオーバーラップさせることができる。従って本実施形態によれば、突状部４１とヘッドユニット２９とを重畳して配置する構成に比して装置の低背化を図ることができる。
【００５４】
続いて、記録ヘッド３０へインクを供給するインク供給系について詳述する。図１及び図２において符号５４は記録ユニット２の外観を構成するハウジング（筐体）であり、このハウジング上面には開口部（開口領域）５４ｂが形成されている。この開口部５４ｂはヘッドユニット２９の移動領域一部を露呈させる開口であり、スキャナーユニット３を開くことにより、紙ジャムが生じた際のジャム処理作業（用紙の取り除き作業）を、開口部５４ｂを介して行える様になっている。
【００５５】
続いて、本実施形態に係るヘッドユニット２９はインクカートリッジを搭載しておらず、ハウジング５４の側面に取り付けられたインクタンク４８（４８Ａ〜４８Ｆ）から、インク流路を形成する流路形成部材としてのインクチューブ５２を介して、記録ヘッド１６へとインクを供給する様に構成されている。
【００５６】
より詳しくは、インクタンク４８Ａ〜４８Ｆは、それぞれ異なる色のインクを収容するインク収容部であり、例えばインクタンク４８Ａはブラックインクを、インクタンク４８Ｂはイエローのインクを、インクタンク４８Ｃはマゼンタのインクを、インクタンク４８Ｄはシアンのインクを、インクタンク４８Ｅはライトシアンのインクを、インクタンク４８Ｆはライトマゼンタのインクを、それぞれ収容する。
【００５７】
複数本のインクチューブ５２は可撓性を有するチューブであり、インクタンク４８から記録ヘッド１６に至るインク流路を、各色のインク毎に形成する。ヘッドユニット２９には、各インク色に対応した中継部５０Ａ〜５０Ｆが収容されている。
【００５８】
中継部５０Ａ〜５０Ｆは、記録ヘッド１６とインクタンク４８とを中継する構成要素であり、複数本のインクチューブ５２は、それぞれ中継部５０Ａ〜５０Ｆに接続されている。換言すれば、中継部５０Ａ〜５０Ｆから、ヘッドユニット２９の外側に、インクチューブ５２が延出した状態となっている。
【００５９】
尚、以下ではインクタンク４８Ａ〜４８Ｆを特に区別する必要の無い場合には「インクタンク４８」と呼び、同様に中継部５０Ａ〜５０Ｆを特に区別する必要の無い場合には「中継部５０」と呼ぶこととする。
【００６０】
続いてインクチューブ５２は、開口部５４ｂの内側から外側に出て、ハウジング５４における、開口部５４ｂ周囲の上面５４ａに固定されている。符号５８はチューブ固定材であり、複数本のインクチューブ５２は、水平方向に並んだ状態で、チューブ固定材５８によって上面５４ａに固定される。尚、チューブ固定材５８には、例えばテープ、ワイヤー、プレート材など種々のものを用いることができる。即ち、インクチューブ５２をハウジング５４の上面５４ａに固定できるものであればどの様なものでも良い。
【００６１】
本実施形態では以上の様にハウジング５４において開口部５４ｂ周囲の上面５４ａを利用してインクチューブ５４が固定されるので、ハウジング５４をインクチューブ固定材として利用することで省スペース且つ低コストにインクチューブ５２を固定することができる。
【００６２】
次に、図２において実線で示すヘッドユニット２９は、装置手前側から見て最も右方に移動した状態であり、仮想線及び符号２９’で示すヘッドユニットは、最も左方に移動した状態を示す。インクチューブ５２は、チューブ固定材５８とヘッドユニット２９との間の区間で、ヘッドユニット２９の移動動作に伴って変形する。
【００６３】
チューブ固定材５８から先、インクタンク４８へ向かうインクチューブ５２は、スキャナーユニット３と記録ユニット２（ハウジング５４）との間に形成された隙間（図１において符号５７で示す）を通ってハウジング５４の左側方に出て、各色のインクタンク４８に接続された状態となっている。
【００６４】
この隙間５７は、本実施形態では「隙間形成部材」としてのボス５６によって形成されている。ボス５６は、ハウジング５４の上面５４ａにおいて装置左右方向の両端部に設けられていて、スキャナーユニット３が閉じた際に、スキャナーユニット３の底面４５に当接して、図１に示す隙間５７を形成する。尚、ボス５６は本実施形態では２つ設けているが、これに限られず１つ、或いは３つ以上でも良い。即ち、隙間５７を形成できれば良い。
【００６５】
ここで隙間５７は、インクチューブ５２を通す隙間であって、より具体的にはインクチューブ５２内のインク流路を遮断しない大きさの隙間である。即ち、インクチューブ５２がスキャナーユニット３と記録ユニット２との間で潰されると、インク流路が遮断され、インクタンク４８から記録ヘッド３０へとインクが供給されなくなる。従って隙間５７は、インクチューブ５２内のインク流路を遮断しない大きさに形成される。
【００６６】
尚、隙間５７の大きさは、必ずしもインクチューブ５２の外径以上である必要はなく、即ちスキャナーユニット３と記録ユニット２との間でインクチューブ５２を或る程度潰しても、インクチューブ内のインク流路が遮断されなければ良い。また、ボス５６を用いて隙間５７を形成せず、インクチューブ５２それ自身の剛性によってスキャナーユニット３を支持しても良い。その際、インクチューブ５２がスキャナーユニット３と記録ユニット２との間で或る程度潰された状態であっても、インクチューブ内のインク流路が遮断されなければ良い。
【００６７】
続いて、記録ユニット２の上部においてハウジング５４の上面５４ａには、図２に示す様に穴５４ｃが設けられ、穴５４ｃの内部には、スイッチ６０が設けられている。スイッチ６０は、本実施形態ではスキャナーユニット３の開閉状態を検知する為の検出手段を構成する。
【００６８】
より詳しくは、スキャナーユニット３の底面には突起４７（図５）が設けられており、スキャナーユニット３が閉じられた際、突起４７が図６（Ａ）から図６（Ｂ）への変化に示す様に穴５４ｃに入り込み、スイッチ６０のレバー６１を押下する（以下ではこれを単に「スイッチ６０を押下する」と言う）。これによりスイッチ６０が接続された制御部６３（図６）は、スキャナーユニット３が閉じられたことを検出する。制御部６３は、プリンター１全体の制御部であり、図２に示した各ローラーや、ヘッドユニット２９、記録ヘッド３０、などを制御する。
【００６９】
本実施形態において制御部６３は、スイッチ６０の非押下状態を検出している場合、即ちスキャナーユニット３の開状態では、記録動作を実行しない。また制御部６３は、スイッチ６０が押下された状態を検出している場合、即ちスキャナーユニット３の閉状態では、記録動作を実行する。
【００７０】
ここで、図６（Ｂ）は、ハウジング５４の上面５４ａに設けられたボス５６によって隙間５７が形成された状態である。この状態において、図示する様にスキャナーユニット３の底面に設けられた突起４７が穴５４ｃに入り込み、スイッチ６０を押下している。即ちプリンター１は、記録ユニット２とスキャナーユニット３との間に、インクチューブ５２内のインク流路を遮断しない大きさの、インクチューブ５２を通す隙間５７が形成された状態で、スイッチ６０が押下状態となる構成を備える。そして突起４７は、その様な長さに形成されている。
【００７１】
つまり、記録ユニット２とスキャナーユニット３との間に、インクチューブ５２を通す為の隙間５７が形成された状態で、記録が実行可能であることから、インクチューブ５２を記録ユニット２とスキャナーユニット３との間から通すに際し最小限の隙間５７によって装置の低背化に配慮しながらも、記録機能を維持することができる。
【００７２】
尚、突起４７は、スキャナーユニット３を閉じた際に（隙間５７が形成された状態で）スイッチ６０を押下できる長さに形成するほか、図７（Ａ）、（Ｂ）に示す様に突起４７’の先端に延長部材４９を取り付けることで、スキャナーユニット３を閉じた際にスイッチ６０を押下できるように構成しても良い。
【００７３】
尚、図６（Ｂ）と図７（Ｂ）に示すいずれの構成であっても、スキャナーユニット３に設けられた突起がスイッチ６０に当接することで、隙間５７が形成される様に構成されていても良い。即ち、突起が隙間５７を形成する隙間形成部材として機能する様に構成しても良い。
【００７４】
また、スキャナーユニット３が閉じ、隙間５７が形成された状態においてスイッチ６０を押下する構成として、突起に換えて、例えば穴５４ｃの内側に部材を入り込ませてスイッチ６０を押し下げた状態とし、その上で穴５４ｃをテープ等により塞ぐこともできる。
【００７５】
また本実施形態では、ユニット奥行き方向において、ユニット手前側（図４において右側）から奥方（図４左側）に向かってヘッドユニット２９、スキャナーユニット３の突状部４１、スキャナーユニット３の回動軸４０、の順に配置されている。その上でインクチューブ５２は、突状部４１と交差することなくヘッドユニット２９とインクタンク４８の双方に接続されている。従ってこれにより、突状部４１の下側にインクチューブ５２を通す為の空間を設ける必要がなく、装置の高さ方向寸法を抑制できる。
【００７６】
尚、本実施形態では、装置の高さ方向寸法を抑制する為の手段の一つが、排紙受けトレイ８に設けられている。以下では、この排紙受けトレイ８について詳述する。  
図９において排紙受けトレイ８は、本実施形態ではシート材としての用紙Ｐを受ける用紙受け面８ａの全領域が一の部材により形成されており、即ち多段式（引き出し式）ではなく一段式のトレイとして構成されている。より具体的には、本実施形態では排紙受けトレイ８の全体が樹脂材料によって一体的に形成されている。これにより排紙受けトレイとして全体的な剛性の向上が図られているとともに、構造の簡素化により低コスト化が図られている。
【００７７】
排紙受けトレイ８は、その側端部（用紙排出方向と交差する方向（用紙幅方向）の端部）８ｅが、装置本体２の基体を構成するフレーム（不図示）に対してスライド可能に支持されている。この排紙トレイ８の両端部（用紙排出方向と交差する方向の両端部）には用紙排出方向に沿ってラック部８ｆが形成されており、不図示のピニオン歯車がラック８ｆと噛合することで、不図示のモーターの動力を受けて排紙受けトレイ８が変位（スライド）動作する様になっている。
【００７８】
排紙受けトレイ８において用紙Ｐを受ける用紙受け面８ａの下流側両サイドには、用紙幅方向の両端部が乗り上がる隆起状部８ｄが形成されている。この隆起状部８ｄに両端部が乗り上がるサイズの用紙については、用紙先端が乗り上がることで排紙受けトレイ８からの落下が防止させる。また、用紙両端が乗り上がることにより、用紙にはカールが形成される。これにより、用紙先端が排紙受けトレイ８の先端からはみ出して垂れ下がり、ひいては落下してしまうことを防止することができる。尚、隆起状部８ｄの上流側には、傾斜状案内面８ｃが形成されており、用紙先端が隆起状部８ｄに引っ掛かることなく円滑に隆起状部８ｄを乗り越えられる様になっている。
【００７９】
一方、両端部が隆起状部８ｄに乗り上がらない幅をもつ用紙については、殆どの場合用紙先端が排紙受けトレイ８の先端から突出することはないので、排紙受けトレイ８から落下する虞はない。しかも、用紙受け面８ａの中央領域下流（２つの隆起状部８ｄの間）には傾斜状案内面８ｂが形成され、用紙受け面８ａよりも一段高い高位置支持面８ｊに接続しているので、両端部が隆起状部８ｄに乗り上がらない幅をもつ用紙については、傾斜状案内面８ｂ及び高位置支持面８ｊによって排紙受けトレイ８からの落下が防止される。
【００８０】
尚、隆起状部８ｄにはディスクトレイ（不図示）を支持し且つガイドするトレイガイド面８ｈが形成されている。ディスクトレイは、光ディスク（不図示）をセットするトレイである。即ち本実施形態に係るプリンター１は、光ディスクのラベル面に記録が可能に構成されている。トレイガイド面８ｈは、高位置支持面８ｊよりやや高い位置に形成されており、またその高さ位置は、ディスクトレイ６０を装置本体２の搬送経路に向けて水平に供給できる位置に設定されている。
【００８１】
トレイガイド面８ｈの上部には庇部８ｋが形成されており、この庇部８ｋによってディスクトレイ（不図示）の両端部はトレイガイド面８ｈから極端に浮き上がらない様に、その姿勢が規制される様になっている。尚、トレイガイド面８ｈよりやや内側にはトレイ支持突起８ｇが形成されており、ディスクトレイ（不図示）が搬送経路に供給された後は、ディスクトレイ６０は排出駆動ローラー３１とトレイ支持突起８ｇとによって支持され、水平姿勢が維持される。
【００８２】
次に、排紙受けトレイ８において用紙排出方向の上流側（図９，図１０において左上側）には、給送手段９を避ける逃げ部８ｒが形成されている。給送手段９は、給送ローラー１０、揺動部材１１、回動軸１２から給送ローラー１０に動力を伝達する歯車輪列１４を含む。
【００８３】
排紙受けトレイ８に設けられた逃げ部８ｒは、その幅(用紙幅方向の幅）ｈが揺動部材１１の幅よりやや大きめに設定されており、即ち逃げ部８ｒは排紙受けトレイ８が収納位置にあるときに（図９の状態）給送手段９を囲むように、切り欠き状に形成され、逃げ部８ｒの内側で揺動部材１１が揺動できる様に設定されている。また、本実施形態では用紙幅方向における給送基準位置は用紙中央に設定されている為、逃げ部８ｒは、用紙幅方向においてほぼ中央に形成されている。
【００８４】
この逃げ部８ｒは、以下の様な作用効果を奏する。即ち、排紙受けトレイ８は装置本体２の内部に収納可能に設けられるが、装置本体内に収納された状態において給送手段９と排紙受けトレイ８とを重畳して設けると、装置の大型化（特に、高さ方向寸法の増大）を招き易い。
【００８５】
しかしながら上述した通り、排紙受けトレイ８は、給送手段９を避ける逃げ部８ｒが形成されているので、装置の高さ方向において給送手段９と排紙受けトレイ８とを重畳させる必要がなく、高さ方向で両者をオーバーラップさせることができ、装置の高さ方向寸法の増大を抑制することができる。
【００８６】
尚、既に述べたように排紙受けトレイ８において用紙受け面８ａの下流側には、用紙両端部が乗り上がる隆起状部８ｄが形成されており、この隆起状部８ｄに用紙両端（用紙排出方向と交差する方向（用紙幅方向）における両端）が乗り上がることにより、用紙にカールが形成される。図１０において符号Ｐ’及び仮想線で示す用紙はその様なカールが形成された状態を示しており、下流側の両端部が隆起状部８ｄに乗り上がり、またこれに加えて上流側の中央部が逃げ部８ｒにやや入り込む様な状態となることで、用紙にカールが形成される。
【００８７】
これにより、用紙先端が用紙受け面８ａからはみ出して垂れ下がり、ひいては落下してしまうことを防止することができる。尚、図１０に示す様な用紙のカールを形成する為には、逃げ部８ｒは用紙幅方向の中央部に形成されることが好ましいが、逃げ部８ｒが用紙幅方向の端部に形成されている様な場合でも、下流側の両端部に隆起状部８ｄが形成されていれば、用紙にカールの形成を促すことができる。  
本実施形態において逃げ部８ｒは、図１１（Ａ）に示すように平面視した際の底部８ｓが平坦状に形成されているが、図１１（Ｂ）に示す逃げ部８ｒ’の底部８ｓ’の様に、排出方向下流側（同図下方向）に向かって幅が狭くなる様に、例えばＶ字状やＵ字状に形成しても良い。
【００８８】
■■■その他変形例■■■  
以上説明した実施形態は一例であり、本発明が上記実施形態に限定されないことは言うまでも無い。例えば、以下の様な変形例が考えられる。  
（１）複数本のインクチューブ５２は、適宜結束バンド等の結束手段により束ねることができる。
【００８９】
（２）チューブ固定材５８は、本実施形態では開口部５４ｂに対して装置前方側に設けたが、開口部５４ｂに対して装置後方側や、側方に設けても良い。
（３）複数のインクタンク４８は、上記実施形態では全て装置左側に設け、その上で複数本のインクチューブ５２を装置左側に出しているが、その逆にインクタンク４８を右側に設けた上で、インクチューブ５２を装置右側に出しても良い。或いは、図７に示す様に複数のインクタンク４８の一部を装置右側に配置し、その他のインクタンクを装置左側に配置した上で、インクチューブ５２を左右に出す様にしても良い。
【００９０】
（４）インクタンク４８は、ハウジング５４の側面に設けることのほか、ハウジング５４から独立させ、それ単独でハウジング５４から離れた場所に配置されていても良い。  
（５）記録ユニット２の上部を開閉する開閉体は上記実施形態ではスキャナーユニット３であるが、これに限られず、単なるカバーであっても良いし、或いはスキャナー機能に換えて他の機能を有する機能ユニットであっても良い。  
（６）インクタンク４８を複数個として本実施形態に記載したが、例えば黒色など一色のインク用のインクタンクを一つ設け、インクチューブ５２も黒色のインク用として１本だけ設ける構成としても良い。
【００９１】
また、本実施形態では本発明をインクジェットプリンターに適用したが、その他液体噴射装置一般に適用することも可能である。  
ここで、液体噴射装置とは、インクジェット式記録ヘッドが用いられ、該記録ヘッドからインクを吐出して被記録媒体に記録を行うプリンター、複写機及びファクシミリ等の記録装置に限らず、インクに代えてその用途に対応する液体を前記インクジェット式記録ヘッドに相当する液体噴射ヘッドから被記録媒体に相当する被噴射媒体に噴射して、前記液体を前記被噴射媒体に付着させる装置を含むものである。
【００９２】
液体噴射ヘッドとして、前記記録ヘッドの他に、液晶ディスプレー等のカラーフィルター製造に用いられる色材噴射ヘッド、有機ＥＬディスプレーや面発光ディスプレー（ＦＥＤ）等の電極形成に用いられる電極材（導電ペースト）噴射ヘッド、バイオチップ製造に用いられる生体有機物噴射ヘッド、精密ピペットとしての試料噴射ヘッド等が挙げられる。
【符号の説明】
【００９３】
１  インクジェットプリンター、２  記録ユニット（装置本体）、３  スキャナーユニット、４  原稿カバー、５  操作パネル、６  手差しカバー、７  手差しトレイ、８  排紙受けトレイ、９  給送手段、１０  給送ローラー、１１  揺動部材、１２  回動軸、１３  分離斜面、１４  歯車輪列、１５  分離斜面、１７  反転ローラー、１８〜２１  従動ローラー、２４  搬送駆動ローラー、２５  搬送従動ローラー、２８  支持部材、２９  ヘッドユニット、３０  記録ヘッド、３１  排出駆動ローラー、３２  排出従動ローラー、３５  下段側トレイ、３６  カバー、３７  上段側トレイ、３９  原稿台、４０  回動軸、４１  突状部、４２  ガイドレール、４３  読み取りユニット、４４  被ガイド部、４５  底面、４６  従動ローラー、４７  突起、４８Ａ〜４８Ｆ  インクタンク、５０Ａ〜５０Ｆ  中継部、５２  インクチューブ、５４  ハウジング、５４ａ  上面、５４ｂ  開口部、５４ｃ  穴、５６  ボス、５７  隙間、５８  チューブ固定材、６０  スイッチ、６１  レバー、６３  制御部、Ｐ、Ｐ１、Ｐ２  記録用紙
【図１】
2014034202.tif 000003
【図２】
2014034202.tif 000004
【図３】
2014034202.tif 000005
【図４】
2014034202.tif 000006
【図５】
2014034202.tif 000007
【図６】
2014034202.tif 000008
【図７】
2014034202.tif 000009
【図８】
2014034202.tif 000010
【図９】
2014034202.tif 000011
【図１０】
2014034202.tif 000012
【図１１】
2014034202.tif 000013